(57)【要約】【課題】  シート状綴じ具と前部支持板と後部支持板で支持する起立支持具において、起立角度の過開きを防止し安定して起立する起立支持具を提供することと該起立支持具に取り付ける用紙を提供することを課題とする。【解決手段】  上部に横長のスリットを設けた前部支持板と後部支持板の上端部を連接して弾性接着剤を塗布し、下端部に弾性接着剤を塗布して起立角度の過開きを防止し、用紙支持部を設けたシート状綴じ具で綴じる起立支持具を提供し、用紙スリットを設けた用紙を提供する。【選択図】図１
2014076642.tif 000002
【特許請求の範囲】
【請求項１】
前部支持板と後部支持板とシート状綴じ具からなる起立支持具において、それぞれの支持板上部に横長のスリットを設け、弾性接着剤を上端部に塗布したことを特徴とする起立支持具。
【請求項２】
前記支持板下端部に弾性接着剤を塗布したことを特徴とする請求項１に記載する起立支持具。
【請求項３】
弾性接着剤がゴム系接着剤又は樹脂系接着剤から選ばれ、乾燥後にゴム状弾性体となることを特徴とする請求項１又は２に記載する起立支持具。
【請求項４】
シート状綴じ具は可撓性を有し、用紙支持部を設けると共に両端部に突片を設け、半円筒状又は多角筒状に綴じることを特徴とする請求項１から３のいずれかに記載する起立支持具。
【請求項５】
シート状綴じ具が樹脂又は金属から選ばれ、単一の弾性体又は複合弾性体であることを特徴とする請求項１から４のいずれかに記載する起立支持具。
【請求項６】
前記支持板上端部にシート状綴じ具に適合する切り欠きを設けたことを特徴とする請求項１から５のいずれかに記載する起立支持具。
【請求項７】
前記支持板に設けた支持板スリットと同様のスリットを設けたことを特徴とする用紙。
【発明の詳細な説明】
【技術分野】
【０００１】  本発明は、起立支持具及び該支持具に取り付ける用紙に関する。
【背景技術】
【０００２】  従来の起立支持具は、卓上カレンダーに見られる形式（特許文献１参照）がある。
特許文献１では、カレンダー部を前部と後部の支持板で支持している卓上カレンダーにおいて、カレンダー部と前部と後部の支持板にそれぞれスリットを設け、シート状綴じ具をそれぞれのスリットに通し、シート状綴じ具の端に形成した突片を、前部と後部の支持板のスリットに引っ掛けることで、シート状綴じ具がループ状になるようにカレンダーを綴じていた。
【先行技術文献】
【特許文献】
【特許文献１】実用新案登録第３１７２７８９号公報
【発明の概要】
【発明が解決しようとする課題】
【０００３】  従来の支持具は、特許文献１では、ガラスや金属や塗装などの平滑面に下端面が接するように支持具を立てた場合は、支持板が滑るので起立角度が徐々に大きくなりついには起立しなくなる。また、使用するうちに前部支持板と後部支持板を連接した上端部が離れることがある。本発明は、前部支持板、後部支持板及び用紙を保持し、支持板に装着するシート状綴じ具からなり、起立角度の過開きを防止して平滑面でも安定して起立する起立支持具を提供することと該起立支持具に取り付ける用紙を提供することを課題とする。
【課題を解決するための手段】
【０００４】  本発明は以上の問題を解決するためになされたものであって、
第１の発明は、前部支持板と後部支持板とシート状綴じ具からなる起立支持具において、それぞれの支持板上部に横長のスリットを設け、連接した前部支持板及び後部支持板の上端部に弾性接着剤を塗布したことを特徴とする起立支持具である。【０００５】  第２の発明は、支持板下端部に弾性接着剤を塗布したことを特徴とする上記１に記載する起立支持具である。【０００６】  第３の発明は、上記弾性接着剤がゴム系接着剤又は樹脂系接着剤から選ばれたことを特徴とする上記１又は２に記載する起立支持具である。弾性接着剤はゴム系やシリコン系やウレタン系の接着剤が望ましい。例えばシリコンシーリング剤などをあげることが出来る。乾燥後にゴム状弾性体となるものであるのが好ましい。【０００７】  第４の発明は、シート状綴じ具が可撓性を有し、用紙支持部を設けると共に両端部に突片を設け、半円筒状又は多角筒状に綴じることを特徴とする１から３のいずれかに記載する起立支持具である。【０００８】  第５の発明は、シート状綴じ具が樹脂又は金属から選ばれ、単一の弾性体又は複合弾性体であることを特徴とする１から４のいずれかに記載する起立支持具である。【０００９】  シート状綴じ具３は可撓性材料からなり、金属や樹脂や紙等でも良く、それらを貼り合わせても良い。樹脂又は金属から選ばれるシート状綴じ具が一枚の弾性体である必要は無く、弾性体同士又は弾性体と弾性体でない部材を貼り合わせた複合弾性体でも良いので、紙や布なども両面テープなどで弾性体に貼り付けて使用する事が出来る。【００１０】  第６の発明は、第１に記載のスリットに代えて、切り欠きを設けたことを特徴とする１から５のいずれかに記載する起立支持具である。【００１１】  第７の発明は、シート状綴じ具を通すスリットを設けた用紙である。
【発明の効果】
【００１２】  本発明による効果は、第１の発明では、密着した前部支持板と後部支持板の上端部を連接した状態で弾性接着剤を塗布するから、支持板下部を開くと上端に塗布した弾性体の復元作用によって、支持板を閉じようとする力が働き起立角度の過開きを防止する。また接着剤を塗布することにより、前部支持板と後部支持板が分離することを防止出来る。【００１３】  第２の発明は、両支持板の下端部に弾性接着剤を塗布することから、弾性体の滑り止め作用により自由な角度で起立した状態を維持して安定して起立する。【００１４】  第３の発明は、ゴムやシリコンやウレタンなどの接着剤は、塗布乾燥後に弾性体となり弾性度も選択できる。さらに一度に多数の支持板を重ねて接着剤を平面状に塗布出来る。【００１５】  第４の発明は、シート状綴じ具に折り筋を入れて折り曲げると、折り曲げた形状が維持されるのでシート状綴じ具が傾斜しにくい。又、シート状綴じ具の両端部の突片がシート状綴じ具を通すスリットの長さより長く形成しているので、支持板に装着することができる。さらに、用紙支持部が設けてあるので用紙を保持することができる。【００１６】  第５の発明は、シート状綴じ具が可撓性材料からなり、金属や樹脂や紙等でも良く、それらが単一の弾性体又は複合弾性体であるので、広範な材料を使うことができる。【００１７】  第６の発明は、第１に記載の支持板スリットに代えて、切り欠きを設けるもので、シート状綴じ具を容易に装着することが可能である。【００１８】  第７の発明は、スリットを設けた用紙を提供するから、容易に交換することができ、各種の幅広い用途に対応することができる。
【図面の簡単な説明】
【００１９】
【図１】  本発明の起立支持具の第一の実施形態を斜め前方より見た斜視図
【図２】  起立支持具の前部支持板と後部支持板の展開図
【図３】  折り筋を施したシート状綴じ具の平面図
【図４】  図１におけるＡ−Ａ’の断面図
【図５】  本発明の起立支持具の第二の実施形態を斜め前方より見た斜視図
【図６】  前部支持板と後部支持板の上部に切り欠きをした展開図
【図７】  前部支持板と後部支持板の上部に切り欠きをした斜視図
【図８】  一部を起立させる切れ目を入れたシート状綴じ具の平面図
【図９】  図５におけるＢ−Ｂ’の断面図
【図１０】  用紙スリット
【図１１】  複数のシート状綴じ具を使用した形態を斜め前方より見た斜視図
【発明を実施するための形態】
【００２０】  以下、本発明の実施の形態について、図面を参照して説明する。
【実施例１】  図１に、本発明の起立支持具における実施形態の例を示す。
この起立支持具は、台紙を支持板材とし可撓性シートをシート状綴じ具材とすると良いがこれに拘らない。まず、一枚の台紙の中央付近に図２に示す断続的な切れ込みのミシン目５または連続的な切れ込みを入れ、台紙を二つ折りすることで、前部支持板１と後部支持板２を区分した起立支持板を作る。【００２１】  ミシン目５は接続部と切断部を交互に繰り返す切れ目を入れて、又連続的な切れ込みは台紙厚さにより切り込み深さを変えることで、最適の折り曲げ状態を得るようにする。又、二枚の厚紙を貼り合わせて台紙とする場合は、湿気や乾燥などの影響による支持板の変形を減らすことが出来る。【００２２】  次に前記の起立支持板を多数重ねて上端部に弾性接着剤であるシリコンシーリング剤を塗布し、乾燥後に１部ごとに切断することで、上端部にゴム状弾性体が固着した起立支持板が形成される。【００２３】  次に前記の起立支持板の下端部に弾性接着剤であるシリコンシーリング剤を塗布した。【００２４】  弾性接着剤の塗布方法は、例えば、板を敷いてその上に前記起立支持板を多数揃えて重ね、その上に別な板を乗せて圧力をかけて固定し、上端部と下端部に弾性接着剤を塗布して乾燥させ、上下の板を取り除き、鋭利な薄い刃物を使用して上端部と下端部の弾性接着剤の必要箇所を切り離して、一部ずつにする方法がある。この場合は、接着剤を塗布しない部分にマスキングテープを貼り付けて接着剤が付着しないようにする必要がある。【００２５】  別の作成方法としては、ホットメルト（熱溶融弾性接着剤）を使用する無線綴じ機を使用することができる。１部ごとに接着剤を塗布すると共に表紙を接着し、表紙を付けた部分を圧して成形し、表紙の付いた支持板を作成する。表紙の付いた支持板上端を基準にして下端部を切断して下端面を得る。この時、表紙と接する支持板面に下端面と交差するように折り筋を適当なピッチで入れておくと、表紙と支持板が密着したとき折り筋部にわずかな空間が生じて、下端部に接着剤を塗布すると空間に接着剤が入って表紙が支持板に良く接着する。【００２６】  支持板の上部に設けるスリットは、前記起立支持板の上端部から７〜１０ｍｍ程度下方（図２のＷｓｐ）に、２〜３ｍｍの間隔（図２のＷｔ）を空けた２本の切れ目（図２の４ａ）を入れて、切れ目の両端にφ３〜φ４ｍｍ程度の穴（図２の４ｂ）を空け、両端が円形でそれぞれの円形の中心をつなぐように２〜３ｍｍ程度の幅で切り抜いた横長形状の支持板スリット４（スリット幅Ｗ１は支持板の大きさに応じた幅とする）を設ける。支持板上部に設けるスリットの形状はこれに限ることはなく、シート状綴じ具を装着することができるものであればよい。【００２７】  例えば、長方形の横長スリットや両端が半円の横長スリットなどがある。なお、この支持板を９０度回転して使用する場合は縦長スリットとし、滑り止めを該端面に施せば良い。【００２８】  なお、スリットを形成する時期は、台紙を折り曲げる前が好ましいが、折り曲げた後、上端部及び下端部に接着剤を塗布し、乾燥した後でも可能である。なお、前記無線綴じ機を使用する場合は接着剤を塗布後、表紙の付いた支持板を作成した後にスリットを穿つと良い。【００２９】  なお、前記起立支持板の上端面を連接��た状態は、分離した前部支持板１と後部支持板２の上端部を揃えて弾性接着剤を塗布しても良く、上端部に紙や布又はゴムシートや樹脂シートなどを貼り付けても良く、一部ずつにした起立支持板の上端部を成形したゴムや弾性樹脂の部材で挟んでも接着しても良い。【００３０】  図１に示すシート状綴じ具３は、図２に示す支持板スリット４に、シート状綴じ具３を通してループ状筒型に取り付けた形態を示しているが、取り付け形態は多角形状筒型でも良い。【００３１】  図３に示すシート状綴じ具３は、前部と後部の用紙支持部３ｂと両端部に設けた突片Ｔｐを設けた前部と後部の掛止部３ａと連接部３ｃからなることを示す。折り筋Ｓ１を谷折りし、折り筋Ｓ２を山折りして、突片Ｔｐを折り曲げて、スリット４に通し、折り曲げた突片Ｔｐを曲げ戻すことで、それぞれの支持板内側又はスリット４に突片Ｔｐが引っ掛かり止まる。【００３２】  この場合、シート状綴じ具中央幅Ｗ２を支持板スリット４の幅Ｗ１より僅かに小さくし、突片を含むシート状綴じ具幅Ｗ３を、Ｗ１より１０ｍｍ以上大きくし、支持板スリット４の幅Ｗｔを２〜３ｍｍ程度にして、突片幅ＷＴｐを７〜１０ｍｍ程度にすれば、Ｗ２＜Ｗ１＜Ｗ３であるから、差し込んだシート状綴じ具３が支持板スリット４から抜けることがない。【００３３】  図１のＡ−Ａ’断面を示す図４において、支持板スリット４を通して取り付けられたシート状綴じ具３が、前記起立支持板の内側で接触し反発してシート状綴じ具３のループ形状を支えている。【００３４】  又、図２に示すＬ１とＬ２は、下端部に塗布したシリコンシーリング剤が、完全に乾燥しない場合は直接接触しない方が望ましいので、Ｌ１＞Ｌ２又はＬ１＜Ｌ２の関係にしても良い。なお、下端部にシリコンシーリング剤を薄く塗布すれば、Ｌ１＝Ｌ２でも良い。
【実施例２】
【００３５】  図５に本発明の起立支持具実施形態の第二の例を示す。この起立支持具は、上端部接線又はミシン目５の折り線中央部に図６に示す切り欠き７を設け、ミシン目５部で二つ折りし、切り欠き部を除いた上端部にシリコンシーリング剤を塗布し、それぞれの下端部にもシリコンシーリング剤を塗布し、前記起立支持板の開き過ぎを防止する構造である。図７は実施例２の斜視図である。なお、第一実施例のスリットに代えて切り欠きを設けるもので、他は実施例１と同じである。【００３６】  図８に示す綴じ具３の突片Ｔｐを折り曲げて図６に示す切り欠き７に差し込み、折り曲げた突片Ｔｐを曲げ戻すことで、それぞれの支持板内側又は切り欠き７に突片Ｔｐが引っ掛かり止まるので、用紙支持部３ｂが切り欠き７に乗る形態でシート状綴じ具３を取り付ける。この場合は、切り欠き７の幅Ｗ４とシート状綴じ具中央幅Ｗ２と突片Ｔｐを含む掛止部３ａの幅Ｗ３の関係は、Ｗ２＜Ｗ４＜Ｗ３であり、シート状綴じ具３が切り欠き７から抜けることがない。この状態を図５に於けるＢ−Ｂ’断面として図９に示している。【００３７】  起立支持板に取り付ける図１０に示す用紙８は、支持板スリット４と同様のスリット８ａを設ける。又図８に示すシート状綴じ具中央幅Ｗ２と掛止部３ａの両端に形成した突片Ｔｐを含む掛止部幅Ｗ３は、Ｗ２＜Ｗ１＜Ｗ３の関係にある。このスリット８ａにシート状綴じ具３を通し、シート状綴じ具３を支持板スリット４に装着することで、起立支持具に用紙８を取り付けることができる。【００３８】  用紙８は、カレンダー用紙、絵手紙用紙、スケッチ用紙、写真アルバム台紙、各種案内用紙や説明用紙、お知らせ用紙などの用途が考えられ、本発明の起立支持具はこれらを表示や展示することが出来る。又、本用紙８はシート状綴じ具３をスリット８ａに通すだけなので、交換が容易である。【００３９】  図１０は、複数の綴じ具を使用する場合の実施形態であり、用紙サイズが大きい場合や複数種の用紙を一度に表示する場合に有効である。【００４０】  シート状綴じ具３に使用する可撓性シートは、シート状綴じ具３に有効な特性を持つ市販の可撓性シートを用いることで、印刷インクによる印刷適性、コピー機もしくはレーザープリンターによる印刷適性、ボールペンや油性ペンによる手書き特性、抜き型による切り抜き特性、熱加工特性が良好であり、引き裂きに強いものとなる。【００４１】  又、シート状綴じ具の綴じ長（図３に示すＷＬｐ）を変えれば、シート状綴じ具３で綴じた場合の筒状の大きさが変わり、必要な印刷スペースを確保して広告等の印刷が美的に自由に出来る。さらに筒状に綴じたシート状綴じ具３の内側に鉛筆やボールペンなどの筆記具を収納することができる。【００４２】  シート状綴じ具３に使用する可撓性材料は、金属や樹脂や紙等でも良く、それらを貼り合わせても良く、糊付きのラベルやシール等に印刷した広告等をシート状綴じ具３に貼り付けても良い。又図８に示している切れ込み９は、シート状綴じ具３の一部を起立させる目的で部分的に必要な形状に切れ目を入れ、図１１に示すようにシート状綴じ具３の一部を起立させることが出来るので、アイキッチャーとしての効果が上がる。又、この起立支持具は、前面と��面がほぼ同形状であり、両面の起立表示が可能であるので、例えばカレンダーなどは、両面に同月を表示すれば、面談する両者が相対する場合でも、カレンダーを回転せずに同じ認識が出来る。又、起立支持具の上端の両端部に穴を穿ち、紐を通して壁掛けとしても使用することが可能である。
【符号の説明】
【００４３】１      前部支持板
２      後部支持板
３      シート状綴じ具
４      支持板スリット
５      ミシン目
７      切り欠き
８      用紙
【図１】
2014076642.tif 000003
【図２】
2014076642.tif 000004
【図３】
2014076642.tif 000005
【図４】
2014076642.tif 000006
【図５】
2014076642.tif 000007
【図６】
2014076642.tif 000008
【図７】
2014076642.tif 000009
【図８】
2014076642.tif 000010
【図９】
2014076642.tif 000011
【図１０】
2014076642.tif 000012
【図１１】
2014076642.tif 000013